【手続補正書】
【提出日】令和1年9月2日(2019.9.2)
【手続補正１】
【補正対象書類名】特許請求の範囲
【補正対象項目名】全文
【補正方法】変更
【補正の内容】
【特許請求の範囲】
【請求項１】
情報又は物品を格納するための装置を備える履物製品であって、前記履物製品は、
前部（２０１）及び後部（１０１）を含むソール（１）であって、前記ソール（１）は、前記履物製品（０）の前部（２００）又は後部（１００）上に開口する穴部（２）を有する、ソール（１）を備え、
また前記履物製品（０）が、前記ソール（１）の前記穴部（２）に挿入されるケーシング（３、４）を備え、
前記ケーシング（３、４）が、
前記ソール（１）の前記穴部（２）に挿入されるのに適したダクト（３）を備え、前記ダクト（３）が開口部（１５３）を含み、且つ前記ソール（１）の前記穴部（２）に固定されることにより、前記ダクト（３）を前記ソール（１）に恒久的に固定できるようにしており、
前記ダクト（３）が、カバー（４）を装備し、
前記カバー（４）が、前記開口部（１５３）を介して前記ダクト（３）に挿入するのに適しており、且つ情報又は物品を格納することを可能にするチューブ（５）を含み、
前記ケーシング（３、４）が密閉状態となるように、前記カバー（４）が前記ダクト（３）の前記開口部（１５３）を密閉していることを特徴とし、また
前記ダクト（３）が、前記ダクト（３）内に組み込まれた繋止手段（２３３、３３３、４３３）であって、前記繋止手段（２３３）は前記ソール（１）の前記穴部（２）に前記ダクト（３）を固定し、且つ前記ダクト（３）を恒久的に前記ソール（１）に固定するのに適している、繋止手段（２３３、３３３、４３３）をさらに備え、また
ａ）前記チューブの前記開口部が開放（２４５）され、且つ前記チューブ（５）に配置される情報又は物品を閉鎖したり封鎖したりすることを可能にする取り外し可能なキャップ（１３５）であって、前記キャップ（１３５）の本体（２１３５）よりもわずかに大きく、前記チューブ（５）に挿入するのに適した直径を有するキャップヘッド（１１３５）を含むキャップ（１３５）により、前記チューブ（５）が前記開口部において遮断されているか、
ｂ）又は、前記チューブ（５）の前記開口部が端面（１４５）によって閉鎖され、これによって前記チューブ（５）に配置される情報又は物品を閉鎖したり封鎖したりすることを可能にするチューブの閉鎖状態を得ていることを特徴とする、
履物製品。
【請求項２】
前記チューブ（５）は前記カバー（４）の基部（１０４）に恒久的に（１０５）又は取り外し可能に（２０５）固定され、また前記チューブ（５）は、前記カバー（４）と同時に前記ダクト（３）内に手動で挿入され、又は前記ダクト（３）から手動で取り外される、請求項１に記載の履物製品。
【請求項３】
前記チューブ（５）は、前記チューブ（５）が含む内容を確認することができるように透過性材料から作製される、請求項１又は２に記載の履物製品。
【請求項４】
前記チューブ（５）は前記カバー（４）の前記基部（１０４）に取り外し可能に固定され、前記固定のための手段には、前記カバー（４）の前記基部（１０４）に位置する溝部（２５４、３５４）と協働する前記チューブの一方の端部に位置する平坦つまみ部（１２５５、２５５）であって、前記チューブ（５）をそれぞれ前記カバー（４）に固定したり、又は前記カバー（４）から取り外したりするために、前記溝部（２５４、３５４）と係合又は係合解除する、平坦つまみ部（１５５、２５５）によって形成される、バヨネット式閉鎖装置が含まれる、請求項１から３のいずれか一項に記載の履物製品。
【請求項５】
前記平坦つまみ部（１５５）は、好ましくは前記チューブの一方の端部における内面（２１５）に位置し、前記平坦つまみ部（１５５）に対応する前記溝部（３５４）は前記カバー（４）の外面に位置している、請求項４に記載の履物製品。
【請求項６】
前記平坦つまみ部（２５５）は、好ましくは前記チューブの一方の端部における外面（１１５）に位置し、前記平坦つまみ部（２５５）に対応する前記溝部（２５４）は前記カバー（４）の内面に位置している、請求項４に記載の履物製品。
【請求項７】
前記繋止手段（２３３）は前記ダクト（３）の前記外面に突出部（２３３）を備え、これにより、前記ダクト（３）を前記ソール（１）の前記穴部（２）に繋止して前記部分を恒久的に固定できるようにし、また前記突出部（２３３）は半月形状に形成され、前記ダクト（３）の前記開口部（１５３）に向かって開口し、且つ前記ダクト（３）の前記閉鎖部（３５３）に向かって中実状態にすることにより、前記穴部（２）に前記ダクト（３）を挿入しやすくし、且つ前記ダクト（３）が外れることを防止する、請求項１に記載の履物製品。
【請求項８】
前記繋止手段（３３３）は、前記ダクト（３）の前記外面に突刺部（３３３）を備え、これにより、前記ダクト（３）を前記ソール（１）の前記穴部（２）に繋止して前記部分を恒久的に固定できるようにし、また前記突刺部（３３３）は前記ダクト（３）の前記開口部（１５３）を指向することにより、前記穴部（２）に前記ダクト（３）を挿入しやすくし、且つ前記ダクト（３）が外れることを防止する、請求項１〜７のいずれか一項に記載の履物製品。
【請求項９】
前記ソールの前記穴部（２）の内壁（１０２）は、突刺部（２０２）であって、前記穴部（２）の底部（２３２）を指向し、且つ前記ダクト（３）の外側部分の突刺部（３３３）と協働することにより、前記ダクト（３）を前記ソール（１）に繋止し、且つ前記ダクト（３）が外れることを防止する、突刺部（２０２）を備える、請求項８に記載の履物製品。
【請求項１０】
前記繋止手段（４３３）は、前記閉鎖部（３５３）の近傍に位置する前記ダクト（３）の端部にあり、前記ダクト（３）を前記ソール（１）の前記穴部（２）に繋止して前記部分を恒久的に固定できるようにするために尖状（４３３）の複数の要素を含む可撓性装置（４３３）であって、前記尖状の可撓性要素（４３３）は、前記ダクト（３）の内側に向かって押し込まれ、前記穴部（２）に前記ダクト（３）を挿入しやすくし、且つ前記ダクト（３）の外側に向かって延出させるのに適した状態にすることで、前記ソール（１）内に楔止めされ、且つそこに封鎖された状態になる、可撓性装置（４３３）を備える、請求項１から９のいずれか一項に記載の履物製品。
【請求項１１】
前記繋止手段は、前記ダクト（３）と前記ソール（１）との恒久的固定を補強するための接着剤を含む、請求項１から１０のいずれか一項に記載の履物製品。
【請求項１２】
前記カバー（４）は外面において、前記ダクト（３）と協働するのに適した可撓性円環状薄板（１１４）を好ましくは備え、前記ダクト（３）の前記内面（１４３）を滑らかにすることにより、前記ダクト（３）上に前記カバー（４）を保持し、且つ前記ケーシング（３、４）が確実に密閉状態となる、請求項１から１１のいずれか一項に記載の履物製品。
【請求項１３】
前記カバー（４）は第１の固定部（２１４）を備え、且つ前記ダクト（３）は第２の固定部（２４３）を備え、前記第１の固定部（２１４）と前記第２の固定部（２４３）とは協働するように配置されており、前記第１の固定部は前記カバー（４）の前記外面（２１４）に第１のネジ山（２１４）を備え、且つ前記第２の固定部（２４３）は、前記開口部（１５３）の近傍にある前記ダクト（３）の前記内面に配置される第２のネジ山（２４３）を備え、前記ダクト（３）上に前記カバー（４）を保持し、且つ前記ケーシング（３、４）が確実に密閉状態となる、請求項１から１１のいずれか一項に記載の履物製品。
【請求項１４】
前記カバー（４）は、前記ダクト（３）と協働するのに適したレバー式閉鎖装置（１３４）を備え、前記ダクト（３）の前記内面は滑らか（１４３）であり、前記閉鎖装置（１３４）は、円環状継手（６１３４）の圧縮によって作動するのに適したレバー（４１３４）と、前記ダクト（３）の前記開口部（１５３）と接触して前記ダクト（３）上において前記カバー（４）を密閉状態で封鎖できるようにする遮断部材（７１３４）とを備える、請求項１から１１のいずれか一項に記載の履物製品。
【請求項１５】
前記カバー（４）は、２つのつまみ部（１１４４）を含むバヨネット式閉鎖装置（１４４）を備え、前記ダクト（３）は、前記２つのつまみ部（１１４４）と協働するのに適した溝部（４４３）を備え、前記２つのつまみ部（１１４４）は、前記カバー（４）を回転させることによって前記溝部（４４３）において封鎖され、前記カバー（４）と前記ダクト（３）とを強固に固定でき、且つ前記ケーシングが密閉状態となる、請求項１から１１のいずれか一項に記載の履物製品。
【請求項１６】
前記カバー（４）は第１の固定部（３１４）を備え、且つ前記ダクト（３）は第２の固定部（３４３）を備え、前記第１の固定部（３１４）と前記第２の固定部（３４３）とは協働するように配置されており、前記第１の固定部は前記カバー（４）の前記内面（３１４）に第１のネジ山（３１４）を備え、且つ前記第２の固定部（２４３）は、前記開口部（１５３）の近傍にある前記ダクト（３）の前記外面に配置される第２のネジ山（３４３）を備え、前記ダクト（３）上に前記カバー（４）を保持し、且つ前記ケーシング（３、４）が確実に密閉状態となる、請求項１から１１のいずれか一項に記載の履物製品。
【請求項１７】
前記ダクト（３）は前記ソールの前記穴部（１３２）よりもわずかに長く（２１３）、且つ前記ソールの外側よりもわずかに先に突出している（２１３）ことにより、前記第１の内側ネジ山（３１４）を有する前記カバー（４）を前記第２の外側ネジ山（３４３）を有する前記ダクト（３）へとねじ込むことができる、請求項１６に記載の履物製品。
【請求項１８】
前記カバー（４）は、前記カバー（４）の前記内面に第１のネジ山（３１４）を有するリム（２０４）を備え、前記ソールの前記穴部の直径（１３２）が前記ダクトの前記開口部（１５３）の外径（２５３）よりもわずかに大きいことにより、前記ダクト（３）の前記外面に配置される前記第２のネジ山（３４３）へのねじ込み時に前記カバー（４）を収容できる、請求項１６に記載の履物製品。
【請求項１９】
前記カバー（４）は、前記カバー（４）を前記ソール（１）に対して回転させる手段（１６４）であって、前記カバー（４）を回転させる手段（１６４）は、前記カバー（４）のねじ込み及び取り外しを容易にするように、ドライバ又はコインを挿入するために設けられるスロット（１６４）を含む、手段（１６４）を備える、請求項１から１８のいずれか一項に記載の履物製品  。
【請求項２０】
−  前記ダクト（３）は細長い円筒形状（１２３）であり、前記ソール（１）の前記穴部（２）もまた、前記ダクト（３）の形状に対応する円筒形状（１２２）であり、前記カバー（１２４）及び前記チューブ（１２５）も同様であるか、
−  又は前記ダクト（３）は細長い楕円形断面（２２３）であり、前記ソール（１）の前記穴部（２）もまた、前記ダクト（３）の断面に対応する楕円形断面（２２２）であり、前記カバー（２２４）及び前記チューブ（２２５）も同様であるか、
−  又は前記ダクト（３）は細長い長方形断面（３２３）であり、前記ソール（１）の前記穴部（２）もまた、前記ダクト（３）の断面に対応する長方形断面（３２２）であり、前記カバー（３２４）及び前記チューブ（３２５）も同様であるか、
−  又は前記ダクト（３）は細長い八角形断面（４２３）であり、前記ソール（１）の前記穴部（２）もまた、前記ダクト（３）の断面に対応する八角形断面（４２２）であり、前記カバー（４２４）及び前記チューブ（４２５）も同様である、
請求項１から１９のいずれか一項に記載の履物製品。
【請求項２１】
情報又は物品を格納するための装置を備える履物製品（０）を製造する方法であって、前記方法は、
・前部（２０１）及び後部（１０１）を含むソール（１）を備える履物製品（０）を設ける工程と、
・前記履物製品（０）の前部（２００）又は後部（１００）上に開口する穴部（２）を形成する工程と、
・開口部（１５３）を含むダクト（３）を備えるケーシング（３、４）を設ける工程であって、前記ダクト（３）は、前記ケーシング（３、４）が密閉状態となるように、前記ダクト（３）の前記開口部（１５３）を密閉するカバー（４）を装備し、
・前記ケーシング（３、４）は前記穴部（２）に挿入するのに適した状態となるように寸法決めされており、前記カバー（４）は、前記開口部（１５３）を介して前記ダクト（３）に挿入するのに適しており、且つ情報又は物品を格納することを可能にするチューブ（５）を含む、工程と、
・前記穴部（２）に前記ダクト（３）を挿入して前記ソール（１）に前記ダクト（３）を固定することにより、前記ダクト（３）と前記ソール（１）とを恒久的に固定する工程であって、前記ダクト（３）は、前記ダクト（３）内に組み込まれた繋止手段（２３３、３３３、４３３）をさらに備え、前記繋止手段（２３３）は前記ソール（１）の前記穴部（２）に前記ダクト（３）を固定し、且つ前記ダクト（３）を恒久的に前記ソール（１）に固定するのに適している、工程と、
・前記チューブ（５）を恒久的に（１０５）、又は取り外し可能に（２０５）前記カバー（４）に固定する工程であって、
ａ）前記チューブの前記開口部が開放（２４５）され、且つ前記チューブ（５）に配置される情報又は物品を閉鎖したり封鎖したりすることを可能にする取り外し可能なキャップ（１３５）であって、前記キャップ（１３５）の本体（２１３５）よりもわずかに大きく、前記チューブ（５）に挿入するのに適した直径を有するキャップヘッド（１１３５）を含むキャップ（１３５）により、前記チューブ（５）が前記開口部において遮断されているか、
ｂ）又は、前記チューブ（５）の前記開口部が端面（１４５）によって閉鎖され、これによって前記チューブ（５）に配置される情報又は物品を閉鎖したり封鎖したりすることを可能にするチューブの閉鎖状態を得ている、工程と、
・前記ダクト（３）に前記カバー（４）を固定する工程とを含む、
方法。
【請求項２２】
・前記チューブ（５）を含む前記カバー（４）を前記ダクト（３）に固定する工程と、
・次いで前記穴部（２）に前記ケーシング（３、４）を挿入することにより、前記カバー（４）が前記ダクト（３）と前記穴部（３）の前記開口部とを閉鎖する工程とからなる
連続的工程をさらに含む、請求項２１に記載の方法。
【手続補正２】
【補正対象書類名】明細書
【補正対象項目名】００１１
【補正方法】変更
【補正の内容】
【００１１】
【特許文献１】国際公開第９３１１６８１号パンフレット
【特許文献２】米国特許出願公開第２００７２６０４２１号明細書
【特許文献３】米国特許出願公開第１７５１０６９号明細書
【特許文献４】米国特許出願公開第６０５０００７号明細書